(57)【要約】  【課題】口腔内や気管支等の粘膜等を傷付ける虞がなく安全性や吸引作業性に優れ、容易にカテーテルに着脱できるので交換及び洗浄が容易で衛生性、メンテナンス性に優れるとともに装着時は外れ難く、口腔内や気管支への出し入れが容易で操作性に優れ、カテーテルの吸引力が減少することがなく実用性、信頼性に優れるカテーテル用吸引補助具を提供することを目的とする。  【解決手段】管状部の端部に形設されカテーテルの先端に着脱自在に装着される装着部と、管状部の他端部に先端が曲面状に形成された吸引部と、装着部及び管状部、吸引部の内部を貫通する通路部と、を備えている。【選択図】図１
2006150052.tif 000002
【特許請求の範囲】
【請求項１】
管状部の端部に形設されカテーテルの先端に着脱自在に装着される装着部と、前記管状部の他端部に先端が曲面状に形成された吸引部と、前記装着部及び前記管状部、前記吸引部の内部を貫通する通路部と、を備えていることを特徴とするカテーテル用吸引補助具。
【請求項２】
前記吸引部が略半球状、略球状、略楕円球状の内いずれか１の形状に形成されたことを特徴とする請求項１に記載のカテーテル用吸引補助具。
【請求項３】
前記装着部の後部の外側面に形成された突起部を備えていることを特徴とする請求項１又は２に記載のカテーテル用吸引補助具。
【請求項４】
前記管状部が、前記通路部と連通して前記管状部の表面に開口した吸引調整孔を備えていることを特徴とする請求項１乃至３の内いずれか１に記載のカテーテル用吸引補助具。
【請求項５】
前記吸引部が、前記通路部と連通して前記吸引部の表面に開口した少なくとも１以上の吸引補助孔を備えていることを特徴とする請求項１乃至４の内いずれか１に記載のカテーテル吸引補助具。
【発明の詳細な説明】
【技術分野】
【０００１】
本発明は、口腔内や気管支内の唾液や痰等を吸引、除去するためのカテーテルの先端に着脱自在に装着されるカテーテル用吸引補助具に関するものである。
【背景技術】
【０００２】
病院等において、治療の際にチューブ状のカテーテルを患者の口腔内にあてがい唾液や痰等を吸引、除去している。しかし、従来のカテーテルは、先端部をごくわずか丸めてあるものの、事実上、管状物を単に切断したにすぎないような形状なので、口腔内にあてがう際、カテーテルの先端部により口腔内の粘膜等を傷付け安全性に欠けるという問題があった。また、口腔内の粘膜等を傷付けるため、取扱に慎重にならざるを得ず吸引に時間がかかり作業性に欠けるという問題があった。
また、吸引管の先端形状を改良したものとして（特許文献１）には、「医療用異物吸引管において、吸引管先端部に弾性物質からなるラッパ状チップを装着しかつ吸引ポンプ連続部近郊に横穴を設けたことを特徴とする改良型異物吸引管」が開示されている。
【特許文献１】実開昭６０−５５４１０号公報
【発明の開示】
【発明が解決しようとする課題】
【０００３】
しかしながら、上記従来の技術では以下のような課題を有していた。
（１）（特許文献１）の改良型異物吸引管は吸引管先端部に弾性物質からなるラッパ状チップが装着されているが、口腔内に挿通された際、ラッパ状チップの先端外周の角により患者の口腔内の粘膜等を傷付ける虞があり安全性が十分に改善されていないという課題を有していた。
（２）チップがラッパ状に形成されているため先端の径が大きく、口腔内に出し入れする際、唇や口腔内に引っ掛かり易く使用性に欠けるという課題を有していた。
（３）チップがラッパ状に形成されているので吸引力が分散され吸引性に欠けるという課題を有していた。
（４）従来のカテーテルや（特許文献１）の改良型異物吸引管はカテーテルを直接口腔内にあてがうためカテーテルの洗浄が必要で衛生性に欠け、洗浄作業が煩雑でメンテナンス性に欠けるという課題を有していた。
【０００４】
本発明は、上記従来の課題を解決するもので、口腔内や気管支等の粘膜等を傷付ける虞がなく安全性や吸引作業性に優れ、容易にカテーテルに着脱できるので交換及び洗浄が容易で衛生性、メンテナンス性に優れるとともに装着時は外れ難く、口腔内や気管支への出し入れが容易で操作性に優れ、カテーテルの吸引力が減少することがなく実用性、信頼性に優れるカテーテル用吸引補助具を提供することを目的とする。
【課題を解決するための手段】
【０００５】
上記課題を解決するために本発明のカテーテル用吸引補助具は、以下の構成を有している。
本発明の請求項１に記載のカテーテル用吸引補助具は、管状部の端部に形設されカテーテルの先端に着脱自在に装着される装着部と、前記管状部の他端部に先端が曲面状に形成された吸引部と、前記装着部及び前記管状部、前記吸引部の内部を貫通する通路部と、を備えた構成を有している。
この構成により、以下のような作用を有する。
（１）装着部の端部をカテーテルの先端に容易に着脱することができる。そのため吸引作業後はカテーテル用吸引補助具を取外して交換や洗浄ができるので衛生性、メンテナンス性に優れる。
（２）吸引部の先端が曲面状に形成されているので口腔内や気管支等の粘膜等を傷付ける原因となる角がなく、口腔内にあてがったり、気管支内に挿通したりしても粘膜等を傷付けず安全に使用できると共に、吸引作業性の向上を図ることができる。
（３）装着部及び管状部、吸引部の内部を貫通する通路部を有することによりカテーテルと連通して吸引した唾液や痰等をカテーテルから排出することができる。
【０００６】
ここで、管状部及び装着部は、ポリプロピレン、ポリエチレン、軟質ゴム、ＥＰＤＭ、ポリウレタン、ナイロン、アクリル樹脂等の合成樹脂製のものやチタン、アルミニウム合金、ステンレス鋼等の耐腐食性を有する金属製のものが好適に用いられる。合成樹脂製のものは加工性、低コスト性、耐腐食性の点で優れ、洗浄性や耐煮沸性にも優れ、カテーテルへの装着時にカテーテルを傷付ける虞も少ないので信頼性に優れる。金属製のものは耐久性に優れ、特にチタン製のものは軽量で生体適合性に優れ好ましい。また、ある程度のコシがあるので、気管支内まで挿通して使用する場合には操作性に優れる。
【０００７】
管状部はカテーテルの貫通孔に装着部を挿入して装着する場合は、装着部の少なくともカテーテル側の端部の外径はカテーテルの貫通孔とほぼ同等若しくは若干大きい径のものが好適に用いられる。カテーテルは塩化ビニル樹脂やゴム等伸縮性のある材料で形成されているため、装着部の外径に合わせてカテーテルの貫通孔の径が大きくなり、装着部を挿入して装着できると共に、装着後は貫通孔から装着部が外れる虞が少なく信頼性に優れ好ましい。また、カテーテルを装着部に形成された通路部に挿入して装着してもよい。この場合、通路部の少なくともカテーテル側の端部の径はカテーテルの外径とほぼ同等若しくは若干小さい径のものが好適に用いられる。これにより、カテーテルを通路部に挿入して装着できると共に装着後は外れる虞が少なく信頼性に優れ好ましい。
【０００８】
カテーテル用吸引補助具の全長は、装着部の端部をカテーテルに装着した場合にカテーテルの端部が口腔内に入らない長さに形成するのが好ましい。これにより、カテーテルの表面に患者の唾液や痰等が付着するのを防止できるので、カテーテル用吸引補助具のみを洗浄して繰り返し使用するか、或いはカテーテル用吸引補助具を使い捨てにすることにより、衛生性、メンテナンス性に優れると共に、面倒なカテーテルの洗浄が不要で実用性に優れる。また、管状部や装着部を掴んで吸引作業ができるため変形し易いカテーテルを掴んで吸引作業を行う場合と比較して操作性、吸引作業性に優れると共に、カテーテル用吸引補助具の装着部からカテーテルが外れるのを確実に防止でき信頼性に優れる。
特にカテーテル用吸引補助具の全長を２０ｃｍ〜３０ｃｍに形成した場合、吸引部を気管支内まで挿通して吸引作業を行うことができる。カテーテル用吸引補助具の全長が２０ｃｍより短くなるにつれ、カテーテルまで口腔内に入ってしまい、管状部や装着部を掴んで吸引部を気管支内まで挿通するのが困難になり、衛生性、操作性が低下し易くなる傾向があり、３０ｃｍより長くなるにつれ、取扱いが困難になる傾向があり、いずれも好ましくない。
【０００９】
吸引部には、管状部や装着部と同様の材料が同様の理由で好適に用いられ、口腔内や気管支内での吸引時に粘膜等を傷付ける虞も少ないので安全性に優れる。特にシリコンゴム等の弾性物質を用いることで安全性の向上を図ることができる。また、管状部及び装着部と吸引部を一体に形成しても別個に形成してもよく、一体に形成にした場合は生産性に優れ好ましい。別個に形成した場合は、例えば患者の体格や用途にあわせて吸引部のみを大きさの異なるものに取り替えることができ実用性に優れ好ましい。
【００１０】
通路部はカテーテルの内径と同程度の径のものが好適に用いられる。同程度の径のものを用いることにより吸引力が落ちる虞もなく信頼性に優れる。カテーテルを装着部に形成された通路部に挿入して装着する場合、カテーテルの外形に合わせてカテーテルが挿入される部分に段差を形成することが好ましい。これにより、カテーテルの貫通孔の径と同じ径で通路部の径を形成することができ吸引力が落ちる虞もなく、信頼性に優れ好ましい。また、通路部の少なくとも吸引部側の端部を装着部側から吸引部側に向かって拡径して形成した場合、吸引できる範囲が広くなり実用性に優れ好ましい。また、通路部の吸引部側の先端を曲面状に形成した場合は口腔内や気管支等の粘膜等を傷付けず安全性に優れると共に、唾液や痰等を曲面に沿ってスムーズに吸引することができ好ましい。
【００１１】
本発明の請求項２に記載のカテーテル用吸引補助具は、請求項１に記載のカテーテル用吸引補助具であって、前記吸引部が略半球状、略球状、略楕円球状の内いずれか１の形状に形成された構成を有している。
この構成により、請求項１の作用に加え、以下のような作用を有する。
（１）吸引部が略半球状、略球状、略楕円球状の内いずれか１の形状に形成されているので、口腔内や気管支に出し入れする際、歯や口腔内、気管支等に引っ掛かり難く容易に出し入れできる。
ここで、吸引部の外径を３ｍｍ〜６ｍｍに形成した場合、子供用として使用したり、気管支内まで挿通して使用したりでき汎用性に優れる。吸引部の外径が３ｍｍより小さくなるにつれ、通路部の形成が困難になると共に、吸引量が低下し易くなる傾向があり、６ｍｍより大きくなるにつれ、気管支内まで挿通するのが困難になる傾向があり、いずれも好ましくない。
【００１２】
装着部が、カテーテル側の端部に向かって縮径して形成された案内部を備えた構成にした場合は、案内部をガイドにして装着部をカテーテルに容易に挿入して装着することができる。
また、装着部の外周表面に形成された突条部又は凹凸部を備えた構成にした場合は、装着部をカテーテルに挿入して装着した際に、装着部の外周表面に形成された突条部又は凹凸部により装着部がカテーテルから外れ難く強固に装着することができる。
突条部又は凹凸部としては、連続状の突条や非連続状の凸部がランダムに形成されたもの又は螺旋溝等が好適に用いられる。
【００１３】
本発明の請求項３に記載のカテーテル用吸引補助具は、請求項１又は２に記載のカテーテル用吸引補助具であって、前記装着部の後部の外側面に形成された突起部を備えた構成を有している。
この構成により、請求項１又は２の作用に加え、以下のような作用を有する。
（１）装着部の後部の外側面に形成された突起部を備えているので突起部を掴むことで滑ることなくカテーテル用吸引補助具を容易に取外すことができる。
（２）カテーテルに装着部を挿入する際、突起部がストッパーとなり必要以上に装着部が深く挿入されるのを防ぐことができ容易に脱着できると共に、カテーテルが口腔内に入ることがなく衛生性に優れる。
ここで、突起部は装着部の後部の外側面の一部又は全周に形成することができる。突起部が装着部の外側面の全周に円環状に形成された場合、掴む部分を気にする必要がなく素早く掴むことができ好ましい。
【００１４】
本発明の請求項４に記載のカテーテル用吸引補助具は、請求項１乃至３の内いずれか１項に記載のカテーテル用吸引補助具であって、前記管状部が、前記通路部と連通して前記管状部の表面に開口した吸引調整孔を備えた構成を有している。
この構成により、請求項１乃至３の内いずれか１項の作用に加え、以下のような作用を有する。
（１）吸引調整孔を備えているので、吸引力を調整でき、唾液や痰等を吸引しない場合は吸引調整孔を開口することにより空気が吸引され吸引力が減少するので、吸引力により粘膜等を傷付ける虞がなく、唾液や痰等を吸引する場合は吸引調整孔を塞ぐことにより吸引力が増加し的確に吸引することができる。
ここで、吸引調整孔は作業者が直接、指などを押し当てて塞ぐようにしてもよいし、摺動式や回動式の蓋部を設け、それを操作して吸引調整孔の開閉を行うようにしてもよい。
【００１５】
本発明の請求項５に記載のカテーテル用吸引補助具は、請求項１乃至４の内いずれか１項に記載のカテーテル用吸引補助具であって、前記吸引部が、前記通路部と連通して前記吸引部の表面に開口した少なくとも１以上の吸引補助孔を備えた構成を有している。
この構成により、請求項１乃至４の内いずれか１項の作用に加え、以下のような作用を有する。
（１）吸引部が、少なくとも１以上の吸引補助孔を備えているので、吸引できる範囲が広がり、吸引効率の向上を図ることができる。
（２）吸引補助孔を複数形成した場合は一部の吸引補助孔が唾液や痰等で詰まった場合でも、他の吸引補助孔で吸引することができ作業性の向上を図ることができる。
ここで、吸引補助孔の数は１〜８個が好ましい。吸引補助孔の数が、８個より多くなるにつれ、吸引部の構造が複雑になり生産性に欠けると共に、強度が不足する傾向があり、好ましくない。また、吸引部の吸引する側の先端半分に吸引補助孔を形成した場合は、吸引補助孔が口腔内や気管支内の深い部分に届くと共に、唾液や痰等にあてがい易く操作性、作業性に優れ好ましい。
【発明の効果】
【００１６】
以上のように本発明のカテーテル用吸引補助具によれば、以下のような有利な効果が得られる。
請求項１に記載の発明によれば、以下のような効果を有する。
（１）装着部によりカテーテルの先端に容易に着脱することができ使用性に優れる。そのため吸引作業後はカテーテル用吸引補助具を取外して交換や洗浄ができるので衛生性、メンテナンス性に優れたカテーテル用吸引補助具を提供することができる。
（２）吸引部の先端が曲面状に形成されているので口腔内や気管支等の粘膜等を傷付ける原因となる角がなく口腔内にあてがったり、気管支内に挿通したりしても粘膜等を傷付けず安全性、吸引作業性に優れたカテーテル用吸引補助具を提供することができる。
（３）装着部及び管状部、吸引部の内部を貫通する通路部を有することによりカテーテルと連通して吸引した唾液や痰等をカテーテルから排出することができる信頼性に優れたカテーテル用吸引補助具を提供することができる。
【００１７】
請求項２に記載の発明によれば、請求項１の効果に加え、以下のような効果を有する。
（１）吸引部が略半球状、略球状、略楕円球状の内いずれか１の形状に形成されているので、口腔内や気管支に出し入れする際、歯や口腔内、気管支等に引っ掛かり難く容易に出し入れできる使用性に優れたカテーテル用吸引補助具を提供することができる。
【００１８】
請求項３に記載の発明によれば、請求項１又は２の効果に加え、以下のような効果を有する。
（１）装着部の後部の外側面に形成された突起部を備えているので突起部を掴むことで滑ることなく容易にカテーテル用吸引補助具を取外すことができる使用性に優れたカテーテル用吸引補助具を提供することができる。
（２）カテーテルに装着部を挿入する際、突起部がストッパーとなり必要以上に装着部が深く挿入されるのを防ぐことができ容易に脱着できると共に、カテーテルが口腔内に入ることがなく衛生性に優れたカテーテル用吸引補助具を提供することができる。
【００１９】
請求項４に記載の発明によれば、請求項１乃至３の内いずれか１項の効果に加え、以下のような効果を有する。
（１）吸引調整孔を備えているので、吸引力を調整でき、唾液や痰等を吸引しない場合は吸引調整孔を開口することにより空気が吸引され吸引力が減少するので、吸引力により粘膜等を傷付ける虞がなく、唾液や痰等を吸引する場合は吸引調整孔を指等で塞ぐことにより吸引力が増加し的確に吸引することができる実用性に優れたカテーテル用吸引補助具を提供することができる。
【００２０】
請求項５に記載の発明によれば、請求項１乃至４の内いずれか１項の効果に加え、以下のような効果を有する。
（１）吸引部が、少なくとも１以上の吸引補助孔を備えているので、吸引できる範囲が広がり、吸引効率が向上し作業性に優れたカテーテル用吸引補助具を提供することができる。
（２）吸引補助孔を複数形成した場合は一部の吸引補助孔が唾液や痰等で詰まった場合でも、他の吸引補助孔で吸引することができる作業性、実用性に優れたカテーテル用吸引補助具を提供することができる。
【発明を実施するための最良の形態】
【００２１】
以下、本発明の実施の形態について、以下図面を参照しながら説明する。
（実施の形態１）
図１（ａ）は本発明の実施の形態１におけるカテーテル用吸引補助具を示す全体斜視図であり、図１（ｂ）は本発明の実施の形態１におけるカテーテル用吸引補助具のカテーテルへの装着状態を示す断面正面図である。
図1中、１は本発明の実施の形態１におけるカテーテル用吸引補助具、１’は管状部、２は管状部１’の端部に形設されカテーテル５の貫通孔６に挿入して着脱自在に装着されるカテーテル用吸引補助具１の装着部、３は管状部１’の他端部に略球状に形成されたカテーテル用吸引補助具１の吸引部、４は装着部２及び管状部１’、吸引部３の内部を貫通しカテーテル５の貫通孔６と連通するカテーテル用吸引補助具１の通路部である。
【００２２】
カテーテル用吸引補助具１は、ポリプロピレン、ポリエチレン、軟質ゴム、ＥＰＤＭ、ポリウレタン、ナイロン、アクリル樹脂等の合成樹脂製のもので一体に形成した。これにより、加工性、低コスト性、耐腐食性の点で優れ、洗浄性や耐煮沸性にも優れ、カテーテル５の貫通孔６へ装着部２を装着する際にもカテーテル５を傷付ける虞も少ないので信頼性に優れる。また吸引部３を口腔内や気管支内に挿通して吸引する際に粘膜等を傷付ける虞も少ないので安全性に優れる。
尚、カテーテル用吸引補助具１若しくは管状部１’及び吸引部３は、耐腐食性、耐久性に優れるチタン、アルミニウム合金、ステンレス鋼等の金属製にしてもよい。特にチタン製のものは軽量で生体適合性に優れ好ましい。また、ある程度のコシがあるので、気管支内まで挿通して使用する場合の操作性に優れる。
【００２３】
実施の形態１においては装着部２及び管状部１’、吸引部３を一体に形成したので生産性に優れるが、別個に形成してもよい。別個に形成した場合、例えば患者の体格や用途にあわせて吸引部の大きさを取り替えることができ実用性に優れ好ましい。吸引部３の外径を３ｍｍ〜６ｍｍに形成した場合、子供用として使用したり、気管支内まで挿通して使用したりでき汎用性に優れる。吸引部３の外径が３ｍｍより小さくなるにつれ、通路部４の形成が困難になると共に、吸引量が低下し易くなる傾向があり、６ｍｍより大きくなるにつれ、気管支内まで挿通するのが困難になる傾向があることがわかった。
また、実施の形態１においては装着部２を貫通孔６に挿入して装着したがカテーテル５を装着部２に形成された通路部４に挿入して装着してもよい。この場合、通路部４の少なくともカテーテル５側の端部の内径をカテーテル５の外径とほぼ同等若しくは若干小さい径に形成することでカテーテル５を通路部４に挿入して装着でき、装着後は外れる虞が少なく信頼性に優れる。また、通路部４の少なくとも吸引部３側の端部を装着部２側から吸引部３側に向かって拡径して形成した場合は吸引できる範囲が広くなり実用性に優れ好ましい。
【００２４】
尚、実施の形態１においては管状部１’の長さをカテーテル５に装着した場合にカテーテル５の端部が口腔内に入らない長さに形成したがこれに限られるものではなく、カテーテル５が口腔内に入っても安全に吸引作業を行うことができる。管状部１’の長さを２０ｃｍ〜３０ｃｍに形成した場合、吸引部３を気管支内まで挿通して吸引作業を行うことができる。管状部１’の長さが２０ｃｍより短くなるにつれ、カテーテル５の端部まで口腔内に入ってしまい、管状部１’や装着部２を掴んで吸引部３を気管支内まで挿通するのが困難になり、衛生性、操作性が低下し易くなる傾向があり、３０ｃｍより長くなるにつれ、取扱いが困難になる傾向があることがわかった。
【００２５】
以上のように構成された実施の形態１におけるカテーテル用吸引補助具について、以下その使用方法を図面を参照しながら説明する。
まず、カテーテル用吸引補助具１の装着部２を一端が図示しない痰等の除去装置（真空ポンプ等を使って吸い上げる方式）に接続されたカテーテル５の他端から貫通孔６に挿入して装着する。次いでカテーテル用吸引補助具１の吸引部３を患者の口腔内にあてがったり、気管支内に挿通したりするが、吸引部３は略球状に形成されているので口腔内や気管支等の粘膜等を傷付けず安全に吸引作業を行うことができる。
このとき、管状部１’の長さがカテーテル５の端部が口腔内に入らない長さに形成されているので、カテーテル５の表面に患者の唾液や痰等が付着するのを防止することができ、カテーテル用吸引補助具１のみを洗浄して繰り返し使用するか、或いはカテーテル用吸引補助具１を使い捨てにすることにより、衛生性、メンテナンス性に優れると共に、面倒なカテーテル５の洗浄が不要で実用性に優れる。また、管状部１’や装着部２を掴んで吸引作業ができるためカテーテル用吸引補助具１がカテーテル５から外れるのを防止でき、変形し易いカテーテル５を掴んで吸引作業を行う場合と比較して操作性に優れ、確実に口腔内の唾液や痰等に吸引部３の先端をあてがうことができる。その後、痰等の除去装置を駆動させることにより、口腔内や気管支内の唾液や痰等がカテーテル用吸引補助具１の通路部４を通してカテーテル５へと吸い上げられる。
【００２６】
以上のように本実施の形態１におけるカテーテル用吸引補助具は構成されているので、以下のような作用を有する。
（１）装着部２の端部をカテーテル５の貫通孔６に容易に着脱することができる。そのため吸引作業後はカテーテル用吸引補助具１を取外して交換や洗浄ができるので衛生性、メンテナンス性に優れる。
（２）吸引部３が略球状に形成されていることにより口腔内や気管支等の粘膜等を傷付ける原因となる角がなく、口腔内にあてがったり、気管支内に挿通したりしても粘膜等を傷付ける虞がなく安全に使用できるとともに吸引作業性の向上を図ることができる。
（３）吸引部３が略球状に形成されているので口腔内や気管支内に出し入れする際、歯や口腔内、気管支等に引っ掛かり難く容易に出し入れできる。
（４）管状部１’の内部を貫通する通路部４によりカテーテル５の貫通孔６と連通して吸引した唾液や痰等をカテーテル５から排出することができる。
（５）装着部２の外径が貫通孔６より若干大きい径で形成されているので、塩化ビニル樹脂やゴム等伸縮性のある材料で形成されたカテーテル５の貫通孔６は装着部２の外径に合わせて径が大きくなり装着部２を挿入して装着できると共に装着後は外れる虞が少なく信頼性に優れる。
（６）管状部１’の長さは、カテーテル５に装着した場合にカテーテル５の端部が口腔内に入らない長さに形成されているので、カテーテル５の表面に患者の唾液や痰等が付着するのを防止でき、カテーテル用吸引補助具１のみを洗浄して繰り返し使用するか、或いはカテーテル用吸引補助具１を使い捨てにすることにより、衛生性、メンテナンス性に優れると共に、面倒なカテーテル５の洗浄が不要で実用性に優れる。
（７）カテーテル用吸引補助具１の管状部１’や装着部２を掴んで吸引作業ができるため変形し易いカテーテル５を掴んで吸引作業を行う場合と比較して操作性、吸引作業性に優れると共に、カテーテル用吸引補助具１がカテーテル５から外れるのを防止でき信頼性に優れる。
（８）通路部４の吸引部３側の先端が曲面状に形成してあるので口腔内や気管支の粘膜等を傷付けず安全性に優れると共に、唾液や痰等を曲面に沿ってスムーズに吸引することができる。
【００２７】
（実施の形態２）
図２（ａ）は本実施の形態２におけるカテーテル用吸引補助具を示す全体斜視図であり、図２（ｂ）は本実施の形態２におけるカテーテル用吸引補助具のカテーテルへの装着状態を示す断面正面図である。
図２中、実施の形態２におけるカテーテル用吸引補助具１ａが実施の形態１におけるカテーテル用吸引補助具１と異なる点は、装着部２ａがカテーテル５側の端部に向かって縮径して形成された案内部７を有する点、装着部２ａの外周表面に円環状に形成された突条部８を有する点、装着部２ａが外周に円環状に形成された突起部９を有する点、管状部１’が通路部４と連通して管状部１’の表面に開口した吸引調整孔１０を有する点、吸引部３ａが略楕円球状に形成されている点である。
【００２８】
突条部８は実施の形態２においては円環状に形成されているが、その他連続状の突条や非連続状の凸部がランダムに形成されたもの又は螺旋溝等を用いてもよい。
突起部９は実施の形態２においては装着部２ａの外側面の全周に円環状に形成されているが外側面の一部に形成してもよい。
【００２９】
以上のように本実施の形態２におけるカテーテル用吸引補助具は構成されているので、実施の形態１の作用に加え、以下のような作用を有する。
（１）装着部２ａがカテーテル５側の端部に向かって縮径して形成された案内部７を備えているので、案内部７をガイドにして装着部２ａをカテーテル５に容易に挿入して装着することができる。
（２）装着部２ａの外周表面に形成された突条部８により装着部２ａがカテーテル５から外れ難く強固に装着することができる。
（３）装着部２ａの後部の外側面に形成された突起部９を備えているので突起部９を掴むことで滑ることなく容易にカテーテル用吸引補助具１ａを取外すことができる。
（４）カテーテル５に装着部２ａを挿入する際、突起部９がストッパーとなり必要以上に装着部が深く挿入されるのを防ぐことができ容易に脱着できると共に、カテーテル５が口腔内に入ることがなく衛生性に優れる。
（５）吸引調整孔１０を備えているので、吸引調整孔１０を指で塞いだりして吸引力を調整でき、唾液や痰等を吸引しない場合は吸引調整孔１０を開口することにより空気が吸引され吸引力が減少し、吸引力により粘膜等を傷付ける虞がなく、唾液や痰等を吸引する場合は吸引調整孔１０を指等で塞ぐことにより吸引力が増加し的確に吸引することができる。
【００３０】
（実施の形態３）
図３は本実施の形態３におけるカテーテル用吸引補助具を示す全体斜視図である。
図３中、実施の形態３におけるカテーテル用吸引補助具１ｂが実施の形態２におけるカテーテル用吸引補助具１ａと異なる点は、吸引部３ｂが棒状に形成され先端が略半球状の曲面に形成されている点である。
尚、本実施の形態では吸引部３ｂが棒状に形成されているので、吸引部３ｂの先端を気管支内まで容易に挿通することができる。このとき、管状部１’や装着部２ａを掴んで吸引作業を行うことができるので、実施の形態１及び２と同様にカテーテル５の端部が口腔内に入るのを防止でき、操作性、吸引作業性に優れる。
【００３１】
以上のように本実施の形態３におけるカテーテル用吸引補助具は構成されているので、実施の形態１又は２の作用に加え、以下のような作用を有する。
（１）吸引部３ｂが棒状に形成されているので加工が容易で生産性に優れる。
（２）患者が吸引部３ｂを咥え易いと共に、歯にあたる虞も少なく安全性に優れ、口腔内や気管支内で動かしやすく吸引作業性の向上を図ることができる。
【００３２】
（実施の形態４）
図４（ａ）は本実施の形態４におけるカテーテル用吸引補助具を示す全体斜視図、図４（ｂ）は本実施の形態４におけるカテーテル用吸引補助具のカテーテルへの装着状態を示す断面正面図、図４（ｃ）は本実施の形態４におけるカテーテル用吸引補助具の右側面図である。
図４中、実施の形態４におけるカテーテル用吸引補助具１ｃが実施の形態１におけるカテーテル用吸引補助具１と異なる点は、吸引部３ｃが、通路部４と連通して吸引部３ｃの表面に開口した吸引補助孔１１を備えている点である。
吸引補助孔１０の数は１〜８個が好ましく、実施の形態４においては、吸引補助孔１０を８個形成した。吸引補助孔１０の数が、８個より多くなるにつれ、吸引部３ｃの構造が複雑になり生産性に欠けると共に、強度が不足する傾向があることがわかったためである。また、吸引部３ｃの吸引する側の先端半分に吸引補助孔１１を形成したので、吸引補助孔１１が口腔内や気管支内の深い部分に届くと共に、痰や唾液等にあてがい易く操作性、作業性に優れる。
以上のように本実施の形態４におけるカテーテル用吸引補助具は構成されているので、実施の形態１乃至３の内いずれか１に記載の作用に加え、以下のような作用を有する。
（１）吸引部３ｃが、吸引補助孔１１を備えているので、吸引できる範囲が広がり、吸引効率の向上を図ることができる。
（２）吸引補助孔１１が８個形成されているので、一部の吸引補助孔１１が唾液や痰等で詰まった場合でも他の吸引補助孔１１で吸引でき、作業性の向上を図ることができる。
【産業上の利用可能性】
【００３３】
本発明は、カテーテルの先端に着脱自在に装着されるカテーテル用吸引補助具に関するものであり、口腔内や気管支等の粘膜等を傷付ける虞がなく安全性や吸引作業性に優れ、容易にカテーテルに着脱できるので交換及び洗浄が容易で衛生性、メンテナンス性に優れるとともに装着時は外れ難く、口腔内や気管支への出し入れが容易で操作性に優れ、カテーテルの吸引力が減少することがなく実用性、信頼性に優れるカテーテル用吸引補助具を提供することができ、歯科や内科等における治療の際に好適に用いることができる。
【図面の簡単な説明】
【００３４】
【図１】（ａ）実施の形態１におけるカテーテル用吸引補助具を示す全体斜視図（ｂ）実施の形態１におけるカテーテル用吸引補助具のカテーテルへの装着状態を示す断面正面図
【図２】（ａ）実施の形態２におけるカテーテル用吸引補助具を示す全体斜視図（ｂ）実施の形態２におけるカテーテル用吸引補助具のカテーテルへの装着状態を示す断面正面図
【図３】実施の形態３におけるカテーテル用吸引補助具を示す全体斜視図
【図４】（ａ）実施の形態４におけるカテーテル用吸引補助具を示す全体斜視図（ｂ）実施の形態４におけるカテーテル用吸引補助具のカテーテルへの装着状態を示す断面正面図（ｃ）実施の形態４におけるカテーテル用吸引補助具を示す右側面図
【符号の説明】
【００３５】
１，１ａ，１ｂ，１ｃ  カテーテル用吸引補助具
１’  管状部
２，２ａ  装着部
３，３ａ，３ｂ，３ｃ  吸引部
４  通路部
５  カテーテル
６  貫通孔
７  案内部
８  突条部
９  突起部
１０  吸引調整孔
１１  吸引補助孔
【図１】
2006150052.tif 000003
【図２】
2006150052.tif 000004
【図３】
2006150052.tif 000005
【図４】
2006150052.tif 000006